(57)【要約】【課題】スーツケースの改良構造を提供する。【解決手段】本発明のスーツケースの改良構造は、一面には少なくとも１つの第一結合ユニットが設置されるメインケース及び一面には前記第一結合ユニットに対応させる少なくとも１つの第一対応結合ユニットが設置されるポケットを備える。前記第一対応結合ユニットが前記第一結合ユニットに取り外し可能に結合されることにより前記ポケットが前記メインケースに取り外し可能に結合され、前記メインケース及び前記ポケットが前記第一結合ユニット及び前記第一対応結合ユニットにより高速に結合及び取り外し可能になり、使用上の利便性が向上する。【選択図】図２Ａ
2019154563.tif 000002
【特許請求の範囲】
【請求項１】
一面には少なくとも１つの第一結合ユニットが設置されるメインケースと、
一面には前記第一結合ユニットに対応させる少なくとも１つの第一対応結合ユニットが設置されるポケットと、を備え、
前記第一対応結合ユニットが前記第一結合ユニットに取り外し可能に結合されることにより前記ポケットが前記メインケースに取り外し可能に結合されることを特徴とする、
スーツケースの改良構造。
【請求項２】
前記第一結合ユニットは留め具であり、前記第一対応結合ユニットはそれに対応する留め具であることを特徴とする請求項１に記載のスーツケースの改良構造。
【請求項３】
前記第一結合ユニットは貼着部材であり、前記第一対応結合ユニットはそれに対応する貼着部材であることを特徴とする請求項１に記載のスーツケースの改良構造。
【請求項４】
前記第一結合ユニットはレールであり、前記第一対応結合ユニットは挿嵌部材であることを特徴とする請求項１に記載のスーツケースの改良構造。
【請求項５】
前記第一結合ユニットは磁性部材であり、前記第一対応結合ユニットは前記磁性部材と互いに吸着し合う対応する磁性部材であることを特徴とする請求項１に記載のスーツケースの改良構造。
【請求項６】
前記第一結合ユニットは第一ファスナーであり、前記第一対応結合ユニットは第二ファスナーであり、且つ前記第一ファスナー及び前記第二ファスナーは互いに噛み合って開閉を行い、また、前記第一ファスナーは前記メインケースの一面の側辺に設置され、前記第二ファスナーは前記ポケットの一面の側辺に設置されることを特徴とする請求項１に記載のスーツケースの改良構造。
【請求項７】
前記メインケースは前記第一結合ユニットが設置される一面に少なくとも１つの第二結合ユニットが更に設置され、前記ポケットは前記第一対応結合ユニットが設置される一面に前記第二結合ユニットに対応させる少なくとも１つの第二対応結合ユニットが更に設置され、且つ前記第二結合ユニットと前記第二対応結合ユニットとの結合方式及び前記第一結合ユニットと前記第一対応結合ユニットとの結合方式は相違することを特徴とする請求項１に記載のスーツケースの改良構造。
【請求項８】
前記第一結合ユニット及び前記第一対応結合ユニットが留め具及びそれに対応する留め具であり、前記第二結合ユニット及び前記第二対応結合ユニットは第一ファスナー及び前記第一ファスナーに互いに噛み合って開閉を行う第二ファスナーであることを特徴とする請求項７に記載のスーツケースの改良構造。
【請求項９】
前記第一結合ユニット及び前記第一対応結合ユニットが留め具及びそれに対応する留め具であり、前記第二結合ユニット及び前記第二対応結合ユニットは貼着部材及びそれに対応する貼着部材であることを特徴とする請求項７に記載のスーツケースの改良構造。
【請求項１０】
前記第一結合ユニット及び前記第一対応結合ユニットが留め具及びそれに対応する留め具であり、前記第二結合ユニット及び前記第二対応結合ユニットは磁性部材及び前記磁性部材に互いに吸着し合う対応する磁性部材であることを特徴とする請求項７に記載のスーツケースの改良構造。
【請求項１１】
前記第一結合ユニット及び前記第一対応結合ユニットが磁性部材及びそれに対応する磁性部材であり、前記第二結合ユニット及び前記第二対応結合ユニットは第一ファスナー及び前記第一ファスナーに互いに噛み合って開閉を行う第二ファスナーであることを特徴とする請求項７に記載のスーツケースの改良構造。
【請求項１２】
前記第一結合ユニット及び前記第一対応結合ユニットが磁性部材及びそれに対応する磁性部材であり、前記第二結合ユニット及び前記第二対応結合ユニットは貼着部材及びそれに対応する貼着部材であることを特徴とする請求項７に記載のスーツケースの改良構造。
【請求項１３】
前記第一結合ユニット及び前記第一対応結合ユニットが貼着部材及びそれに対応する貼着部材であり、前記第二結合ユニット及び前記第二対応結合ユニットは第一ファスナー及び前記第一ファスナーに互いに噛み合って開閉を行う第二ファスナーであることを特徴とする請求項７に記載のスーツケースの改良構造。
【請求項１４】
前記第一結合ユニット及び前記第一対応結合ユニットがレール及び挿嵌部材であり、前記第二結合ユニット及び前記第二対応結合ユニットは第一ファスナー及び前記第一ファスナーに互いに噛み合って開閉を行う第二ファスナーであることを特徴とする請求項７に記載のスーツケースの改良構造。
【請求項１５】
前記メインケースの前記第一結合ユニットが設置される一面は凹面であることを特徴とする請求項１乃至１４の何れか１項に記載のスーツケースの改良構造。
【請求項１６】
前記ポケットには２つのバックルが設置され、スリングの両端がこれら前記バックルにそれぞれ係合されることを特徴とする請求項１乃至１４の何れか１項に記載のスーツケースの改良構造。
【請求項１７】
前記ポケットの上部にはハンドルが更に設置されることを特徴とする請求項１乃至１４の何れか１項に記載のスーツケースの改良構造。
【発明の詳細な説明】
【技術分野】
【０００１】
本発明は、スーツケースの改良構造に関し、より詳しくは、メインケースの外部に取り外し可能なポケットが設置されるスーツケースの改良構造に関する。
【背景技術】
【０００２】
現代社会の発展は目覚ましく、国民所得も上昇を続け、加えて様々な交通手段が普及している。利便性を向上するため、出張や旅行等ではスーツケースを使用し、使用者が外出時に必要な衣類、日用品、洗面用具、記念品、文書、ノートパソコン等の物品を携帯しやすくしている。
【発明の概要】
【発明が解決しようとする課題】
【０００３】
前述した従来のスーツケースでは、スーツケースの蓋の外表面にファスナーが付設されるポケットが設置され、体積が小さく頻繁に取り出す物品を入れられるようになっている。前記ポケットは通常縫合方式でスーツケースの蓋の外表面に直接縫合されているが、一般的なスーツケースは預け入れ荷物として運送し、手荷物として機内に持ち込めないものが多い。
このため、使用者はキャリーバッグを携帯して財布やパスポート、携帯電話等の身の回り品を収納するようにしている場合があり、これは使用者にとって不便であり、前記ポケットもその機能を活かせなかった。
【０００４】
そこで、本発明者は上記の欠点が改善可能と考え、鋭意検討を重ねた結果、合理的設計で上記の課題を効果的に改善する本発明、すなわち、使用者がポケットをメインケースの外部に着脱可能なスーツケースの改良構造の提案に到った。
【０００５】
本発明は、以上の従来技術の課題を解決する為になされたものであり、本発明の目的は、メインケース及びポケットに結合ユニット及び対応結合ユニットがそれぞれ設置され、メインケース及びポケットが結合ユニット及び対応結合ユニットにより高速に結合及び取り外しが行われ、使用上の利便性を向上させる、スーツケースの改良構造を提供することにある。
【課題を解決するための手段】
【０００６】
上述した課題を解決し、目的を達成するための、本発明に係るスーツケースの改良構造は、一面には少なくとも１つの第一結合ユニットが設置されるメインケース及び一面には前記第一結合ユニットに対応させる少なくとも１つの第一対応結合ユニットが設置されるポケットを備える。前記第一対応結合ユニットが前記第一結合ユニットに取り外し可能に結合されることにより前記ポケットが前記メインケースに取り外し可能に結合される。
【０００７】
好ましい実施形態において、前記第一結合ユニットは留め具であり、前記第一対応結合ユニットはそれに対応する留め具である。
【０００８】
好ましい実施形態において、前記第一結合ユニットは貼着部材であり、前記第一対応結合ユニットはそれに対応する貼着部材である。
【０００９】
好ましい実施形態において、前記第一結合ユニットはレールであり、前記第一対応結合ユニットは挿嵌部材である。
【００１０】
好ましい実施形態において、前記第一結合ユニットは磁性部材であり、前記第一対応結合ユニットは前記磁性部材と互いに吸着し合う対応する磁性部材である。
【００１１】
好ましい実施形態において、前記第一結合ユニットは第一ファスナーであり、前記第一対応結合ユニットは第二ファスナーであり、且つ前記第一ファスナー及び前記第二ファスナーは互いに噛み合って開閉を行い、また、前記第一ファスナーは前記メインケースの一面の側辺に設置され、前記第二ファスナーは前記ポケットの一面の側辺に設置される。
【００１２】
好ましい実施形態において、前記メインケースは前記第一結合ユニットが設置される一面に少なくとも１つの第二結合ユニットが更に設置され、前記ポケットは前記第一対応結合ユニットが設置される一面に前記第二結合ユニットに対応させる少なくとも１つの第二対応結合ユニットが更に設置され、且つ前記第二結合ユニットと前記第二対応結合ユニットとの結合方式及び前記第一結合ユニットと前記第一対応結合ユニットとの結合方式は相違する。
【００１３】
好ましい実施形態において、前記第一結合ユニット及び前記第一対応結合ユニットが留め具及びそれに対応する留め具である場合、前記第二結合ユニット及び前記第二対応結合ユニットは第一ファスナー及び前記第一ファスナーに互いに噛み合って開閉を行う第二ファスナーである。
【００１４】
好ましい実施形態において、前記第一結合ユニット及び前記第一対応結合ユニットが留め具及びそれに対応する留め具である場合、前記第二結合ユニット及び前記第二対応結合ユニットは貼着部材及びそれに対応する貼着部材である。
【００１５】
好ましい実施形態において、前記第一結合ユニット及び前記第一対応結合ユニットが留め具及びそれに対応する留め具である場合、前記第二結合ユニット及び前記第二対応結合ユニットは磁性部材及び前記磁性部材に互いに吸着し合う対応する磁性部材である。
【００１６】
好ましい実施形態において、前記第一結合ユニット及び前記第一対応結合ユニットが磁性部材及びそれに対応する磁性部材である場合、前記第二結合ユニット及び前記第二対応結合ユニットは第一ファスナー及び前記第一ファスナーに互いに噛み合って開閉を行う第二ファスナーである。
【００１７】
好ましい実施形態において、前記第一結合ユニット及び前記第一対応結合ユニットが磁性部材及びそれに対応する磁性部材である場合、前記第二結合ユニット及び前記第二対応結合ユニットは貼着部材及びそれに対応する貼着部材である。
【００１８】
好ましい実施形態において、前記第一結合ユニット及び前記第一対応結合ユニットが貼着部材及びそれに対応する貼着部材である場合、前記第二結合ユニット及び前記第二対応結合ユニットは第一ファスナー及び前記第一ファスナーに互いに噛み合って開閉を行う第二ファスナーである。
【００１９】
好ましい実施形態において、前記第一結合ユニット及び前記第一対応結合ユニットがレール及び挿嵌部材である場合、前記第二結合ユニット及び前記第二対応結合ユニットは第一ファスナー及び前記第一ファスナーに互いに噛み合って開閉を行う第二ファスナーである。
【００２０】
好ましい実施形態において、前記メインケースの前記第一結合ユニットが設置される一面は凹面である。
【００２１】
好ましい実施形態において、前記ポケットには２つのバックルが設置され、スリングの両端がこれら前記バックルにそれぞれ係合される。
【００２２】
好ましい実施形態において、前記ポケットの上部にはハンドルが更に設置される。
【図面の簡単な説明】
【００２３】
【図１】本発明の一実施形態に係るスーツケースの改良構造を示す概略図である。
【図２Ａ】本発明のスーツケースの改良構造を示す分解の概略図（一）である。
【図２Ｂ】本発明のスーツケースの改良構造を示す分解の概略図（二）である。
【図２Ｃ】本発明のスーツケースの改良構造を示す分解の概略図（三）である。
【図２Ｄ】本発明のスーツケースの改良構造を示す分解の概略図（四）である。
【図３】本発明のスーツケースの改良構造を示す使用状態の概略図である。
【発明を実施するための形態】
【００２４】
以下に図面を参照して、本発明を実施するための形態について、詳細に説明する。なお、本発明は、以下に説明する実施形態に限定されるものではない。
【００２５】
本発明のスーツケースの改良構造１０は、一面には少なくとも１つの第一結合ユニット１１１が設置されるメインケース１１及び一面には前記第一結合ユニット１１１に対応させる少なくとも１つの第一対応結合ユニット１２１が設置されるポケット１２を備える（図１及び図２Ａ参照）。
前記第一対応結合ユニット１２１が前記第一結合ユニット１１１に取り外し可能に結合されることにより前記ポケット１２が前記メインケース１１に取り外し可能に結合され、前記メインケース１１及び前記ポケット１２が前記第一結合ユニット１１１及び前記第一対応結合ユニット１２１により高速に結合及び取り外しが行われ、使用上の利便性が向上する。
【００２６】
図２Ａ乃至図２Ｃに示すように、前記第一結合ユニット１１１は留め具（例えば、オス留め具）、貼着部材（例えば、面ファスナー）、またはレールであり、前記第一対応結合ユニット１２１は対応する留め具（例えば、メス留め具）、対応する貼着部材件（例えば、対応する面ファスナー）、または挿嵌部材である。
前記メインケース１１及び前記ポケット１２は前記第一結合ユニット１１１の留め具及び前記第一対応結合ユニット１２１の対応する留め具により係合、貼着、或いは挿嵌される等の方式で高速に結合及び取り外しが行われる。或いは、前記第一結合ユニット１１１が磁性部材または第一ファスナーであり、前記第一対応結合ユニット１２１が前記磁性部材に互いに吸着し合う対応する磁性部材または第二ファスナーであり、噛合、磁力による吸着等の他の結合方式が採用されてもよい。
【００２７】
また、前記メインケース１１及び前記ポケット１２が着脱しやすさ及び安定的な結合効果を兼ね備えるようにするため、前記メインケース１１には前記第一結合ユニット１１１が設置される一面に少なくとも１つの第二結合ユニット１１２が更に設置され、前記ポケット１２には前記第一対応結合ユニット１２１が設置される一面に前記第二結合ユニット１１２に対応させる少なくとも１つの第二対応結合ユニット１２２が更に設置される。且つ前記第二結合ユニット１１２と前記第二対応結合ユニット１２２との結合方式が前記第一結合ユニット１１１と前記第一対応結合ユニット１２１との結合方式とは相違する。
【００２８】
図２Ｄに示すように、前記第一結合ユニット１１１及び前記第一対応結合ユニット１２１が留め具及びそれに対応する留め具である場合、前記第二結合ユニット１１２及び前記第二対応結合ユニット１２２は第一ファスナー及び前記第一ファスナーに互いに噛み合って開閉を行う第二ファスナーであり、前記メインケース１１及び前記ポケット１２は同時に係合及び噛合方式で結合及び取り外しが行われる。
【００２９】
本発明のスーツケースの改良構造は、さらに他の多重結合方式を有する。例えば、前記第一結合ユニット及び前記第一対応結合ユニットが留め具及びそれに対応する留め具である場合、前記第二結合ユニット及び前記第二対応結合ユニットは貼着部材及びそれに対応する貼着部材であるか、或いは磁性部材及び前記磁性部材に互いに吸着し合う対応する磁性部材であり、前記メインケース１１及び前記ポケット１２は同時に係合及び貼着方式により結合及び取り外しが行われる。
前記第一結合ユニット１１１及び前記第一対応結合ユニット１２１が磁性部材及びそれに対応する磁性部材である場合、前記第二結合ユニット１１２及び前記第二対応結合ユニット１２２は第一ファスナー及び前記第一ファスナーに互いに噛み合って開閉を行う第二ファスナーであるか、或いは貼着部材及びそれに対応する貼着部材であり、前記メインケース１１及び前記ポケット１２は同時に磁力による吸着及び噛合方式により結合及び取り外しが行われる。前記第一結合ユニット１１１及び前記第一対応結合ユニット１２１が貼着部材及びそれに対応する貼着部材である場合、前記第二結合ユニット１１２及び前記第二対応結合ユニット１２２は第一ファスナー及び前記第一ファスナーに互いに噛み合って開閉を行う第二ファスナーであり、前記メインケース１１及び前記ポケット１２は同時に噛合及び貼着方式により結合及び取り外しが行われる。
前記第一結合ユニット１１１及び前記第一対応結合ユニット１２１がレール及び挿嵌部材である場合、前記第二結合ユニット１１２及び前記第二対応結合ユニット１２２は第一ファスナー及び前記第一ファスナーに互いに噛み合って開閉を行う第二ファスナーであり、前記メインケース１１及び前記ポケット１２は同時に挿嵌及び噛合方式により結合及び取り外しが行われる。
【００３０】
しかしながら、上述のどの実施方式であれ、前記メインケース１１は前記第一結合ユニット１１１が設置される一面が凹面１１３であり、前記スーツケースの改良構造１０の全体的な体積が節約される。前記メインケース１１の底部には複数のキャスター１１４が設置され、前記メインケース１１が滑動しやすくなる。前記メインケース１１にはキャリーハンドル１１５が更に設置され、前記スーツケースの改良構造１０を使用者が引くこと可能になる。
また、前記ポケット１２には２つのバックル１２３が設置され、スリング１３の両端がこれら前記バックル１２３にそれぞれ係合される。前記ポケット１２及び前記メインケース１１が分離された後、使用者は前記ポケット１２を肩に背負ったり、前記ポケット１２の上部に接続されるハンドル１２４を利用して前記ポケット１２を持つことが可能になる。
【００３１】
総合すると、本発明は、メインケース及びポケットに結合ユニット及び対応結合ユニットがそれぞれ設置され、メインケース及びポケットが結合ユニット及び対応結合ユニットにより高速に結合及び取り外しが行われ、使用上の利便性が向上するスーツケースの改良構造を提供する。
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３３】
１０    スーツケースの改良構造
１１    メインケース
１１１  第一結合ユニット
１１２  第二結合ユニット
１１３  凹面
１１４  キャスター
１１５  キャリーハンドル
１２    ポケット
１２１  第一対応結合ユニット
１２２  第二対応結合ユニット
１２３  バックル
１２４  ハンドル
１３    スリング
【図１】
2019154563.tif 000003
【図２Ａ】
2019154563.tif 000004
【図２Ｂ】
2019154563.tif 000005
【図２Ｃ】
2019154563.tif 000006
【図２Ｄ】
2019154563.tif 000007
【図３】
2019154563.tif 000008
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
一面には少なくとも１つの第一結合ユニット及び少なくとも１つの第二結合ユニットが設置されるメインケースと、
一面には前記第一結合ユニットに対応させる少なくとも１つの第一対応結合ユニット及び前記第二結合ユニットに対応させる少なくとも１つの第二対応結合ユニットが設置され、少なくとも１つの袋口を有するポケットと、を備え、
前記第一対応結合ユニットが前記第一結合ユニットに取り外し可能に結合され、かつ前記第二対応結合ユニットが前記第二結合ユニットに取り外し可能に結合されることにより前記ポケットが前記メインケースに取り外し可能に結合され、
前記メインケースにおける前記ポケットを結合する一面は凹面であり、
前記第一結合ユニット及び前記第二結合ユニットは前記凹面に設置され、
前記ポケットが前記メインケースに結合した状態において、前記ポケットが前記凹面内に嵌め合わされ、かつ前記少なくとも１つの袋口を開いて内容物を出し入れ可能であることを特徴とする、
スーツケースの改良構造。
【請求項２】
前記第一結合ユニットは留め具であり、前記第一対応結合ユニットはそれに対応する留め具であることを特徴とする請求項１に記載のスーツケースの改良構造。
【請求項３】
前記第一結合ユニットは貼着部材であり、前記第一対応結合ユニットはそれに対応する貼着部材であることを特徴とする請求項１に記載のスーツケースの改良構造。
【請求項４】
前記第一結合ユニットはレールであり、前記第一対応結合ユニットは挿嵌部材であることを特徴とする請求項１に記載のスーツケースの改良構造。
【請求項５】
前記第一結合ユニットは磁性部材であり、前記第一対応結合ユニットは前記磁性部材と互いに吸着し合う対応する磁性部材であることを特徴とする請求項１に記載のスーツケースの改良構造。
【請求項６】
前記第一結合ユニットは第一ファスナーであり、前記第一対応結合ユニットは第二ファスナーであり、且つ前記第一ファスナー及び前記第二ファスナーは互いに噛み合って開閉を行い、また、前記第一ファスナーは前記メインケースの一面の側辺に設置され、前記第二ファスナーは前記ポケットの一面の側辺に設置されることを特徴とする請求項１に記載のスーツケースの改良構造。
【請求項７】
前記第一結合ユニット及び前記第一対応結合ユニットが留め具及びそれに対応する留め具であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項８】
前記第一結合ユニット及び前記第一対応結合ユニットが留め具及びそれに対応する留め具であり、前記第二結合ユニット及び前記第二対応結合ユニットは貼着部材及びそれに対応する貼着部材であることを特徴とする請求項１に記載のスーツケースの改良構造。
【請求項９】
前記第一結合ユニット及び前記第一対応結合ユニットが留め具及びそれに対応する留め具であり、前記第二結合ユニット及び前記第二対応結合ユニットは磁性部材及び前記磁性部材に互いに吸着し合う対応する磁性部材であることを特徴とする請求項１に記載のスーツケースの改良構造。
【請求項１０】
前記第一結合ユニット及び前記第一対応結合ユニットが磁性部材及びそれに対応する磁性部材であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項１１】
前記第一結合ユニット及び前記第一対応結合ユニットが磁性部材及びそれに対応する磁性部材であり、前記第二結合ユニット及び前記第二対応結合ユニットは貼着部材及びそれに対応する貼着部材であることを特徴とする請求項１に記載のスーツケースの改良構造。
【請求項１２】
前記第一結合ユニット及び前記第一対応結合ユニットが貼着部材及びそれに対応する貼着部材であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項１３】
前記第一結合ユニット及び前記第一対応結合ユニットがレール及び挿嵌部材であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項１４】
前記ポケットには２つのバックルが設置され、スリングの両端がこれら前記バックルにそれぞれ係合されることを特徴とする請求項１乃至１３の何れか１項に記載のスーツケースの改良構造。
【請求項１５】
前記ポケットの上部にはハンドルが更に設置されることを特徴とする請求項１乃至１３の何れか１項に記載のスーツケースの改良構造。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
一面には少なくとも１つの第一結合ユニット及び少なくとも１つの第二結合ユニットが設置されるメインケースと、
一面には前記第一結合ユニットに対応させる少なくとも１つの第一対応結合ユニット及び前記第二結合ユニットに対応させる少なくとも１つの第二対応結合ユニットが設置され、少なくとも１つの袋口を有するポケットと、を備え、
前記第一対応結合ユニットが前記第一結合ユニットに取り外し可能に結合され、かつ前記第二対応結合ユニットが前記第二結合ユニットに取り外し可能に結合されることにより前記ポケットが前記メインケースに取り外し可能に結合され、
前記第二結合ユニットと前記第二対応結合ユニットの結合方式は、前記第一結合ユニットと前記第一対応結合ユニットとの結合方式と相違し、
前記第一結合ユニットと前記第一対応結合ユニットは、前記メインケース及び前記ポケットの上下側辺にそれぞれ配置され、
前記第二結合ユニットと前記第二対応結合ユニットは、前記メインケース及び前記ポケットの左右側辺にそれぞれ配置され、
前記メインケースにおける前記ポケットを結合する一面は凹面であり、
前記第一結合ユニット及び前記第二結合ユニットは前記凹面に設置され、
前記ポケットが前記メインケースに結合した状態において、前記ポケットが前記凹面内に嵌め合わされ、かつ前記少なくとも１つの袋口を開いて内容物を出し入れ可能であることを特徴とする、
スーツケースの改良構造。
【請求項２】
前記第一結合ユニット及び前記第一対応結合ユニットが留め具及びそれに対応する留め具であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項３】
前記第一結合ユニット及び前記第一対応結合ユニットが留め具及びそれに対応する留め具であり、前記第二結合ユニット及び前記第二対応結合ユニットは貼着部材及びそれに対応する貼着部材であることを特徴とする請求項１に記載のスーツケースの改良構造。
【請求項４】
前記第一結合ユニット及び前記第一対応結合ユニットが留め具及びそれに対応する留め具であり、前記第二結合ユニット及び前記第二対応結合ユニットは磁性部材及び前記磁性部材に互いに吸着し合う対応する磁性部材であることを特徴とする請求項１に記載のスーツケースの改良構造。
【請求項５】
前記第一結合ユニット及び前記第一対応結合ユニットが磁性部材及びそれに対応する磁性部材であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項６】
前記第一結合ユニット及び前記第一対応結合ユニットが磁性部材及びそれに対応する磁性部材であり、前記第二結合ユニット及び前記第二対応結合ユニットは貼着部材及びそれに対応する貼着部材であることを特徴とする請求項１に記載のスーツケースの改良構造。
【請求項７】
前記第一結合ユニット及び前記第一対応結合ユニットが貼着部材及びそれに対応する貼着部材であり、前記第二結合ユニット及び前記第二対応結合ユニットは第一ファスナー及び前記第一ファスナーに互いに噛み合って開閉を行う第二ファスナーであることを特徴とする請求項１に記載のスーツケースの改良構造。
【請求項８】
前記ポケットには２つのバックルが設置され、スリングの両端がこれら前記バックルにそれぞれ係合されることを特徴とする請求項１乃至７の何れか１項に記載のスーツケースの改良構造。
【請求項９】
前記ポケットの上部にはハンドルが更に設置されることを特徴とする請求項１乃至７の何れか１項に記載のスーツケースの改良構造。